Podtech/llm-jp-corpus-v4-ja_patent huggingface dataset:
(57)【要約】【課題】  ピアノやオルガン等の楽器を初めて弾く人にとって、特に和音の打鍵が大変難しく、これが障害となってピアノやオルガン等の演奏の習得を断念する場合が多かった。本考案は、その習得を助ける鍵盤楽器練習用補助器具に関するものである。【解決手段】ピアノ等の鍵盤を有する楽器を弾く際、鍵盤打鍵部３と該鍵盤打鍵部３を保持する保持部２とを含み、弾く手の指先を沿わせて使用する鍵盤楽器練習用補助器具１。【選択図】  図１
0003107716.tif 000002
【実用新案登録請求の範囲】
【請求項１】
ピアノ等の鍵盤を有する楽器を弾く際、鍵盤打鍵部３と該鍵盤打鍵部３を保持する保持部２とを含み、弾く手の指先を沿わせて使用する鍵盤楽器練習用補助器具１。
【考案の詳細な説明】
【技術分野】
【０００１】  ピアノやオルガン等の楽器を初めて弾く人にとって、特に和音の打鍵が大変難しく、これが障害となってピアノ演奏の習得を断念する場合が多かった。本考案は、その習得を助ける鍵盤楽器練習用補助器具に関するものである。
【背景技術】
【０００２】  幼児がピアノを初めて弾く場合、手の丸みを習得するための方法が公知である。例えば、特開平１１−７２３４がある。【０００３】
【特許文献１】    特開平１１−７２３４号公報
【考案の開示】
【考案が解決しようとする課題】
【０００４】  しかし、そのような方法で実際にピアノを弾いてみると、手の丸みを習得することはできるが、指の間隔を適切にあけて、和音の打鍵を容易に習得することはできなかった。【０００５】  そこで、この考案の鍵盤楽器練習用補助器具は、そのような従来の器具が有する問題点を解決するために考えられたものである。
【課題を解決するための手段】
【０００６】  この考案の鍵盤楽器練習用補助器具は、ピアノ等の鍵盤を有する楽器を弾く際、弾く手の指先を沿わせることのできる、鍵盤打鍵部３と該鍵盤打鍵部３を保持する保持部２とを含むことを特徴とする。
【考案の効果】
【０００７】  この考案の器具によれば、初心者が使用しても確実かつ簡便に和音の打鍵を容易に習得することができる。
【考案を実施するための最良の形態】
【０００８】  図１に示すように、鍵盤打鍵部３と該鍵盤打鍵部３を保持する保持部２とを含む鍵盤楽器練習用補助器具において、該器具の上に弾く手の指を軽く乗せてつかむ。そして、該器具を用いてピアノの鍵盤を打鍵する。該鍵盤打鍵部３は３本の棒からなり、鍵盤をたたく側の三つの各面は、保持部２との合接面から概同じ長さとなっている。３本の鍵盤打鍵部３は、和音が弾けるような間隔で設置される。保持部２と打鍵部３は通常接着剤で合接される。
【実施例】
【０００９】  本考案の鍵盤楽器練習用補助器具は木製であり、保持部は縦１４ｍｍ、横１１０ｍｍ、厚さ８ｍｍ、打鍵部は直径１０ｍｍ、長さ３８ｍｍの丸棒である。ピアノの鍵盤に接する面には傷をつけることを防止し、打鍵時の反動や抵抗感を少なくするため、直径１０ｍｍ、厚さ１ｍｍのコルクが貼り付けられている。そのコルクの代わりに、弾力性のあるゴムやプラスチックを貼り付けてもよい。又、該器具の寸法はピアノを習得しようとする人の手の大きさに応じて決められる。【００１０】  図２の鍵盤楽器練習用補助器具では、該打鍵部３の打鍵側が少し削られている（切削部４）。該切削部４は、指をちょうどその部分に沿わすことのできるよう、丸みを帯びて作られる。打鍵する手の指をそこへ沿わせて該器具をつかむ。その状態で鍵盤を打鍵すると、打鍵の感触を指に伝えることができる。又回転部５を保持部３の両端に付ける。手の指先で該回転部をつかむと、該補助器具が、該回転部を軸として動き易くなり、手首等の関節が自由になって、ピアノ等の打鍵の習得に役立つ。該回転部は画鋲のようなものからなり、図２のように、保持部２を貫通し、ストッパー６によって容易に外れないようになっている。その回転部の上部を、保持部２の該箇所を少し削ることで凹部を作り、埋め込むようにしてもよい。【００１１】  本器具を用いてピアノを実際に弾くと、初心者であっても、保持部２や打鍵部３に指先を沿わせて弾くため、和音を容易に得ることができる。又その打鍵によって、指や手のフォームの体得を容易にし、腕や肩の弛緩感覚を養うことができる。【００１２】  和音を最初から正確に聞くことができるのでそれが記憶として残り、本器具を使わずに弾けるようになった時も脳から指先ヘフィードバックをかけることができる。【００１３】  和音を容易に引き出すことができるので、本器具を遊具として簡単な即興演奏に使うこともできる。【００１４】（その他の実施の形態）
本考案の実施例では、木製の器具としたが、竹製、金属製、又はプラスチック製であってもよい。又図１及び２の実施例では、保持部２の手に触れる側は平坦としたが、より持ち易いように、湾曲を持たせてもよい。さらに、手の大きさに応じて該打鍵部の長さを伸縮可能にしてもよい。和音を弾く上達の過程で３本の該打鍵部を２本へ減じた（その分、指先のみで鍵盤をたたく箇所が増える）器具であってもよい。又、和音だけでなく、ある鍵盤のとなりの鍵盤を同時に弾けるように打鍵部を配設してもよい。この場合、打鍵部は図１や２のように丸棒や角棒を保持部に付けるのではなく、図３のように、保持部に断面が矩形の角材を接着する。この器具では、保持部を指先でつかみ鍵盤をたたく。以上の鍵盤楽器練習用補助器具はオルガン、キーボード等ピアノ以外の鍵盤を有する楽器にも応用可能である。
【産業上の利用可能性】
【００１５】  本器具を用いると、初心者であっても和音を容易に弾くことができる。又その打鍵によって、指や手のフォームの体得を容易にし、腕や肩の弛緩感覚を養うことができる。したがって、鍵盤楽器習得の意欲を高め、今後の音楽教育に資すること大である。
【図面の簡単な説明】
【００１６】
【００１７】
【図１】この考案の実施の一形態を示した図である。
【図２】この考案の実施の一形態を示した図である。
【図３】この考案の実施の一形態を示した図である。
【符号の説明】
【００１８】  １  鍵盤楽器練習用補助器具
２  保持部
３  打鍵部
４  切削部
５  回転部
６  ストッパー
【図１】
0003107716.tif 000003
【図２】
0003107716.tif 000004
【図３】
0003107716.tif 000005
(57)【要約】      （修正有）【課題】スリーブに付けたマークがスリーブから脱落しないようにしたストーブ用マーク構造の提供。【解決手段】スリーブの表面には環状溝が成形してあり、且つ前記環状溝の溝底面には一成形部を有し、前記成形部には、加工によりマーク・ユニットが突出し成形されたことを特徴とするスリーブ用マークの構造。【選択図】図１
0003107713.tif 000002
【実用新案登録請求の範囲】
【請求項１】
スリーブの表面には環状溝が成形してあり、且つ前記環状溝の溝底面には一つの成形部を有し、前記成形部には、加工によりマーク・ユニットが突出し成形されたことを特徴とする、
スリーブ用マークの構造。
【請求項２】
前記成形部は浮出処理で成形されることにより、前記成形部は凹凸を有する構造になることを特徴とする、請求項１に記載のスリーブ用マークの構造。
【請求項３】
前記マーク・ユニットの表面には色彩層を有することを特徴とする、請求項１に記載のスリーブ用マークの構造。
【請求項４】
前記マーク・ユニットの断面形状は台形を呈することを特徴とする、請求項１に記載のスリーブ用マークの構造。
【考案の詳細な説明】
【技術分野】
【０００１】
本考案はスリーブ製品に係り、特にスリーブ用マークの構造に関するものである。
【背景技術】
【０００２】
工具の使用率が向上するに従って、メーカは工具の品質および機能を増加すると共に、工具の表面にも商業マークや寸法マークなどを付ける。上記商業マークや寸法マークなどにより、消費者は製品を容易に識別することができ、且つ商業マークの識別により、消費者は工具を購買する時間を短縮することができ、メーカは商業マークに通じて知名度を向上し、消費者の購買欲を激発することができる。なお、工具製品において、スリーブ工具はもっとも常用なものである。
【考案の開示】
【考案が解決しようとする課題】
【０００３】
しかしながら、これは次のような欠点があった。
（イ）粘着剤によりスリーブの周面の所定位置にマーク・ユニットを貼り付けた場合には、スリーブの表面に微細穴を有し、且つ粘着剤が微細穴に完全に滲入できないので、マーク・ユニットの金属工具への粘着力が不足であり、粘着剤の変質によりマーク・ユニットがスリーブの表面から脱落し易い。
【０００４】
（ロ）塗装によりスリーブの周面の所定位置に商業マークを塗装した場合には、スリーブの表面に付けたペイントの色彩安定性が良くないので、平常の作業温度で使用者に触れると、商業マークがはっきりしないようになり易く、一方、ペイントの金属工具への付着力が不足なので、使用者に触れると、商業マークが脱落し易い。
【課題を解決するための手段】
【０００５】
上記欠点を解決するためになされた本願の第一の考案は、スリーブの表面には環状溝が成形してあり、且つ前記環状溝の溝底面には一つの成形部を有し、前記成形部には、加工によりマーク・ユニットが突出し成形されたことを特徴とするスリーブ用マークの構造であることを要旨としている。
【０００６】
本願の第二の考案は、前記の本願の第一の考案に係るスリーブ用マークの構造において、前記成形部は浮出処理で成形されることにより、前記成形部は凹凸を有する構造になることを特徴とする。
【０００７】
本願の第三の考案は、前記の本願の第一の考案に係るスリーブ用マークの構造において、前記マーク・ユニットの表面には色彩層を有することを特徴とする。
【０００８】
本願の第四の考案は、前記の本願の第一の考案に係るスリーブ用マークの構造において、前記マーク・ユニットの断面形状は台形を呈することを特徴とする。
【考案の効果】
【０００９】
本考案に係るスリーブ用マークの構造によれば、スリーブに付けたマークがスリーブから脱落しない。
【考案を実施するための最良の形態】
【００１０】
以下、添付図面を参照して本考案の好適な実施の形態を詳細に説明する。
【００１１】
まず、図１乃至図４を参照する。本考案に係るスリーブ用マークの構造は、スリーブ１０と、環状溝２０と、成形部３０と、マーク・ユニット４０とから構成されるものである。前記スリーブ１０は一般の工業用スリーブであり、且つ前記スリーブ１０の周面の予定箇所では環状溝２０が形成してあり、前記環状溝２０の溝底面２１には浮出処理により成形部３０が形成してあり、前記成形部３０は、凹凸な表面を有し、浮出処理によりマーク・ユニット４０が形成され、前記マーク・ユニット４０の断面形状は台形を呈し、なお、前記マーク・ユニット４０と前記スリーブ１０とが一体な構造である。
【００１２】
上記のように、本考案に係るスリーブ１０は、加工によりスリーブ１０の環状溝２０の溝底面２１に突起したマーク・ユニット４０が成形され、且つ前記マーク・ユニット４０と前記スリーブ１０とが一体な構造であるので、前記マーク・ユニット４０の構造強度が強化され、マーク・ユニット４０が触られてもスリーブ１０の表面から脱落しないので、消費者は間違ったものを購入することを回避できる。一方、前記マーク・ユニット４０と前記スリーブ１０とが一体な構造であるので、粘着剤によりスリーブの周面の所定位置にマーク・ユニットを貼り付けたことによる欠陥、又は、塗装によりスリーブの周面の所定位置に商業マークを塗装したことによる欠陥は、同時に解決できる。
【００１３】
また、図５に示すように、本考案は、前記マーク・ユニット４０を成形した後に、印刷などの方法により前記マーク・ユニット４０の表面に顔色を持つ色彩層５０を付けることもでき、これにより、前記マーク・ユニット４０がもっと目立つようになる。
【図面の簡単な説明】
【００１４】
【図１】本考案に係るマークユニットを具備したスリーブの斜視図である。
【図２】図１における一部の拡大図である。
【図３】本考案の一部の断面図である。
【図４】図３における一部の拡大図である。
【図５】本考案に係るマーク・ユニットの表面に色彩層が形成されたことを示す概略図である。
【符号の説明】
【００１５】
１０      スリーブ                  ２０      環状溝
２１      溝底面                    ３０      成形部
４０      マーク・ユニット          ５０      色彩層
【図１】
0003107713.tif 000003
【図２】
0003107713.tif 000004
【図３】
0003107713.tif 000005
【図４】
0003107713.tif 000006
【図５】
0003107713.tif 000007
(57)【要約】【課題】発光ダイオードの周囲の光源を発光ダイオードの最上部に向かって反射させ、発光ダイオードの輝度を大幅に向上させることができる増光構造を提供する。【解決手段】本考案の増光構造は、発光ダイオードを設置する電気回路の表面に増光素子を設け、その増光素子は薄板状の構造を呈し、発光ダイオードを入れるための凹部を設けており、その凹部の壁面には発光ダイオードの最上部の方向に向かって斜めに拡張する反射壁面が設けられる。【選択図】  図２
0003107719.tif 000002
【実用新案登録請求の範囲】
【請求項１】
発光ダイオードの増光構造において、
発光ダイオードを設置する電気回路の表面に増光素子を設け、その増光素子は薄板状の構造を呈し、発光ダイオードを入れるための凹部を備えており、当該凹部の壁面には、発光ダイオードの最上部の方向に斜めに拡張している反射壁面を備える、ことを特徴とする発光ダイオードの増光構造。
【請求項２】
当該増光素子の凹部底面には、少なくとも2つの貫通穴が設けられ、当該発光ダイオードの導電部が貫通穴を通して当該電気回路と接続することを特徴とする請求項1に記載の発光ダイオードの増光構造。
【請求項３】
当該増光素子が金属板により構成され、当該増光素子と当該電気回路の間には絶縁体が設けられることを特徴とする請求項1に記載の発光ダイオードの増光構造。
【請求項４】
当該増光素子が金属板により構成され、当該凹部の底面には少なくとも2つの貫通穴が設けられ、当該発光ダイオードの各導電部と各当該貫通穴の間に絶縁体が設けられ、及び当該増光素子と当該電気回路の間に絶縁体が設けられることを特徴とする請求項1に記載の発光ダイオードの増光構造。
【考案の詳細な説明】
【技術分野】
【０００１】
本考案は、発光ダイオードの輝度を増強する技術に関し、発光ダイオード本体の構造を変えることなく、発光ダイオードを増光素子の凹部に設置することにより、有効的に発光ダイオードの輝度を増強できる効果を有する増光構造に関する。
【背景技術】
【０００２】
図1に示すのは、従来の発光ダイオードの構造イメージ図である。発光ダイオード1Oは、透明のパッケージ体11の内部に異なる極性の導電部12及びベアリング部(bearing)13を設け、そのベアリング部13にはチップ14が固定されており、べつに金線15がチップ14の電極層と導電部12を接続するように設置されている。また、各導電部12は透明パッケージ体11の外部に延びて、発光ダイオード10と関連する電気回路とを接続している。
【０００３】
したがって、導電部12が電気回路の通電作用を受けることで、チップ14により生成された光源が発光効果を形成することができる。また、チップ14の周辺には蛍光材料(図示せず)を設けることもでき、チップ14の生成した光源が蛍光材料を通過するとき、蛍光材料の波長と結合して予期される光の色を形成することができる。しかし、導電部12が2本の支持部で、その中間にはやや大きめの隙間があり、また透明パッケージ体11のサイズが比較的大きいため、発光ダイオードを発光させるとき、一部の光がその底部側面から漏れて無駄になってしまっていた。
【考案の開示】
【考案が解決しようとする課題】
【０００４】
関連する製造工程、製造技術の改良において、発光ダイオードの市場分野が急遠に拡大することが予想されるが、既存の技術において、発光ダイオードの関連技術の研究開発は、発光ダイオードの光の色彩効果、及び発光ダイオードの生産能力の向上に注意が注がれており、相対的に発光ダイオードの輝度に関しては、画期的な技術が見られない。
【課題を解決するための手段】
【０００５】
本考案にかかわる「発光ダイオードの増光構造」は、発光ダイオードを設置する電気回路の表面に増光素子を設け、その増光素子は薄板状の構造を呈し、発光ダイオードが入るための凹部を設けており、その凹部の壁面には発光ダイオードの最上部の方向に向かって斜めに拡張する反射壁面が設けられる。
【考案の効果】
【０００６】
発光ダイオードの周囲の光源を発光ダイオードの最上部に向かって反射させ、発光ダイオードの輝度を大幅に向上させることができる。
【考案を実施するための最良の形態】
【０００７】
本考案は、「発光ダイオードの増光構造」に関し、その増光構造の基本構造は、図2に示すように、発光ダイオード10を設置する電気回路20の表面に、増光素子30を設け、増光素子30は、薄板状の形態を呈し、発光ダイオードが凹部31に入ることができるようにしている。その凹部の壁面には、発光ダイオード1Oの最上部の方向に斜めに拡張している反射壁面32が設けられている。
【０００８】
具体的に実施する場合、増光素子30は金属被覆銅板(又はアルミ被覆銅板)により構成されることにより、凹部31の反射壁面32に光源反射の効果を具えさせることができる。その凹部31の底面は貫通しているのではなく、凹部31の底面には少なくとも2個の貫通穴33が設けられており、且つ増光素子30と電気回路20の間には、薄膜状を呈する絶縁体40が設けられている。
【０００９】
図3に示すのは、その発光ダイオード10の導電部12が増光素子30の貫通穴33と電気回路20の下表面におけるラインとを連結し、且つ貫通穴33の内側(即ち、各導電部12と貫通穴33の間)にリング状の絶縁体40が設けられることによって、増光素子30が発光ダイオード10のショートを招くことを防止する。
【００１０】
これにより、図4に示すように、発光ダイオード10の導電部12が電気回路20の通電作用を受ける状態において、チップ14が発光効果を生じるとき、増光素子30の凹部31における反射壁面32が、発光ダイオード10の周辺部分における光源を発光ダイオード10の最上部の方向に向けて屈折させることにより、発光ダイオード1Oの輝度を大幅に向上させることができる。
【００１１】
上述のように、本考案は、発光ダイオードの本体構造を変更せずに、有効的に発光ダイオードの輝度を増加させる効果を有する増光構造であり、明らかな効果の増強があるため、法に基づいて実用新案の出願を提出する。但し、以上の実施例の説明及び図面は、本考案を比較的わかりやすく表すものであるだけで、本考案を制限するものではない。本考案の構造、装置、特徴と類似するもの、または同等のものは、すべて本考案の創作目的及び実用新案登録請求の範囲に含まれるものとする。
【図面の簡単な説明】
【００１２】
【図１】従来の発光ダイオードにおける構造イメージ図である。
【図２】本考案にかかわる増光構造の構造断面図である。
【図３】本考案にかかわる発光ダイオードの組立イメージ図である。
【図４】本考案にかかわる増光構造の光反射イメージ図である。
【符号の説明】
【００１３】
10  発光ダイオード
11  透明パッケージ体
12  導電部
13  ベアリング部
14  チップ
15  金線
20  電気回路
30  増光素子
31  凹部
32  反射壁面
33  貫通穴
40  絶縁体
【図１】
0003107719.tif 000003
【図２】
0003107719.tif 000004
【図３】
0003107719.tif 000005
【図４】
0003107719.tif 000006
(57)【要約】【課題】  被った時に伸縮性があり、通気性がよく汗の吸収率も高い帽子の構造を提供する。【解決手段】  帽子体の後下縁部に適する長さの折畳部が伸び、その折畳部両側とひさし縁布の間に縫取孔を開け、またゴムの両側はひさし縁布内に縫い付け、中段部は折畳部で覆って内側に縫い付けた帽子の構造であり、また、中段部は折畳部によって被せられ、そのため、通気性及びかぶった時にゴムが直接頭部に当たらず、快適で、且つ両側の縫取孔によって通気性にも優れた帽子の構造である。【選択図】図６  
0003107656.tif 000002
【実用新案登録請求の範囲】
【請求項１】
帽子の構造は、帽子体の後下縁部に適する長さの折畳部が伸び、その折畳部両側とひさし縁布の間に縫取孔を開け、またゴムの両側はひさし縁布内に縫い付け、中段部は折畳部で覆って内側に縫い付けることを特徴とする帽子の構造。
【考案の詳細な説明】
【技術分野】
【０００１】
本考案は、通気性に優れ、且つ使用時の快適に優れた帽子の構造に関する。
【背景技術】
【０００２】
従来の一般的な帽子は、図１に示すとおり、帽子体１０内の下周辺縁に設置されたゴム１１は、その全体が同質材のゴムで、それを直接帽子体１０の下周辺縁に縫い付ける。この種のデザインは、被る位置にゴムが当たって伸縮効果を具えるが、通気性及び汗の吸収性に劣る。更にゴム１０が直接頭部に接触するため、かぶった時に快適でない。
【０００３】
図２に示すのは、別の従来品で、帽子体１０内側の下周辺縁にゴム１２を縫い付ける。上方の本布上には孔１３が開き、これによって伸縮効果を具える。
図３に示すのは、更に別の従来品で、一部にゴム１４を設置する。これらは、伸縮効果に劣る欠点がある。
【特許文献１】特開平０９−１３７３１５号公報
【考案の開示】
【考案が解決しようとする課題】
【０００４】
解決しようとする問題点は、伸縮性に優れるものは通気性や汗の吸収率が劣り、通気効果を高めると、被った時に伸縮性が悪いため、快適でない点である。
本考案は、上述した問題点に鑑みてなされたもので、被った時に伸縮性があり、通気性がよく汗の吸収率も高い帽子の構造を提供するものである。
【課題を解決するための手段】
【０００５】
本考案は、上記の課題を解決するために、帽子の構造は、帽子体の後下縁部に適する長さの折畳部が伸び、その折畳部両側とひさし縁布の間に縫取孔を開け、またゴムの両側はひさし縁布内に縫い付け、中段部は折畳部で覆って内側に縫い付けることを特徴とする帽子の構造である。
すなわち、帽子体の後下縁部に適する長さの折畳部が伸び、その折畳部両側とひさし縁布の間に縫取孔を開ける。また、ゴムは折畳部内に縫い付けることを最も主要な特徴とする。
【考案の効果】
【０００６】
本考案の帽子の構造は、被った時に伸縮性があり、かつ、通気性に優れ、且つ使用時の快適性に優れるという利点がある。
【考案を実施するための最良の形態】
【０００７】
図４，５，６に示すとおり、本考案の実施例は、主に帽子体２０の後下縁部に適する長さの折畳部２１が伸び、その折畳部２１両側とひさし縁布２２の間に細長い二等辺三角形状の縫取孔２３，２４が左右に開く構造である。
また、図６に示すとおり、本考案の実施例のゴム２５の両側は、ひさし縁布２２内に縫い付けられ、中段部は折畳部２１によって被せられる。そのため、通気性及びかぶった時にゴム２５が直接頭部に当たらず、快適で、且つ両側の縫取孔２３,２４によって通気性にも優れる。
【０００８】
図７に示すとおり、本考案は折畳部２１の内側に位置する箇所にゴム２６を設置し、その両側を本布で縫い付ける形式でもよく、更に、図８に示すとおり、折畳部２１の内側すべてをゴム２７で縫い付けてもよい。
【図面の簡単な説明】
【０００９】
【図１】従来公知の製品立体図である。
【図２】従来公知の製品立体図である。
【図３】従来公知の製品立体図である。
【図４】本考案の実施例の立体図である。
【図５】本考案の実施例の側面図である。
【図６】本考案の実施例の開示図である。
【図７】本考案の別の実施例の斜視図である。
【図８】本考案の更に別の実施例の斜視図である。
【符号の説明】
【００１０】
１０        帽子体
１１        ゴム
１２        伸縮紐
１３        孔
１４        伸縮紐
２０        帽子体
２１        折畳部
２２        ひさし縁布
２３        縫取孔
２４        縫取孔
２５        ゴム
２６        ゴム
２７        ゴム
【図１】
0003107656.tif 000003
【図２】
0003107656.tif 000004
【図３】
0003107656.tif 000005
【図４】
0003107656.tif 000006
【図５】
0003107656.tif 000007
【図６】
0003107656.tif 000008
【図７】
0003107656.tif 000009
【図８】
0003107656.tif 000010
(57)【要約】      （修正有）【課題】家庭室内で出来る腹式呼吸法走行運動具を提供する。【解決手段】彈性軸棒１の一端に据付片２を固定し、一方受身駒３にパイプ４を固着し、パイプに彈性軸棒１を挿入し、長さを調整しねぢ５などで固定した形の構造である。【効果】設備も場所も不要天候に関係なくいつでもどこでも利用出来、運動不足解消及び動作機能強化が計れるだけでなく、この用具を使用するには下腹に負荷を与えた状態で使用するだけに反射的に下腹に力が入りふくらむ様な全く腹式呼吸に好都合な姿体であるからあとは單に長呼気に留意するだけで腹式呼吸と言う名の横隔膜運動で臓器の活性化が見込まれるのである。【選択図】図１
0003107653.tif 000002
【実用新案登録請求の範囲】
【請求項１】
彈性軸棒又は彈性帯状板（１）を据付片（２）に固定し、一方受身駒（３）にパイプ（４）を固着し、このパイプに彈性軸棒（１）を挿入し、適宜の長さで固定す。以上の如く構成された腹式呼吸室内走行運動具。
【考案の詳細な説明】
【考案の詳細な説明】
【技術分野】
【０００１】  この考案は運動不足を解消し合わせて腹式呼吸法動作をも併行して行うことの出来る家庭室内走行運動具である。
【背景技術】
【０００２】  従来走行運動即ちジョギングやランニングを室内で行うには高価な設備、場所を要しこれを備えることは無理である。又腹式呼吸も形として見えないだけに実行しづらく他の運動と合併組合せ運動など類がない。
【考案が解決しようとする課題】
【０００３】  一般的な又基本的運動である走行運動を手軽に家庭室内で出来る様にし且つ併行して腹式呼吸を行い効率高い運動を行わんとするものである。
【この問題を解決するための手段】
【０００４】  室内走行運動が出来る様第１図で示す受身駒（３）にパイプ（４）を取り付け一方据付片（２）に彈性軸棒又は彈性帯板を固定し、これをパイプに挿入し長さの調整可能にして、ねぢ（５）などで固定したものを利用するのである。
【本考案実施の形態】
【０００５】  第２図ある如く折りたたまれた本具の彈性軸棒（１）を引き出し、体型に應じ適宜の長さにねぢ（５）などで固定し、第３図の如く受身駒（３）を下腹に当て、一方据付片（２）を柱、家具等に当て彈性軸棒（１）が鍋底状になるような距離を保ちながら走行運動を始める。
この時片脚の浮揚状になったその瞬間彈力棒の彈力により軽く元に戻される。この状態が繰り返され自然な形の走行動作が実施される。
この動作は受身駒（３）を下腹に当て丹田部に力を入れることになり当然の如く腹式呼吸法の態形をつくっており、あとは唯吸気より長呼気なる様努め下腹がふくれる様心掛けるだけで完全なる腹式呼吸が走行運動と供に無理なく実行出来るのである。
【本考案の効果】
【０００６】  本考案は設備も場所も不要天候に関係なくいつでもどこでも利用出来、運動不足解消及び動作機能強化が計れるだけでなく、この用具を使用するには下腹に負荷を与えた状態で使用するだけに反射的に下腹に力が入りふくらむ様な全く腹式呼吸に好都合な姿体であるからあとは單に長呼気に留意するだけで腹式呼吸と言う名の横隔膜運動で臓器の活性化が見込まれるのである。
走行運動と併行して呼吸運動を行うことで体の外と中、即ち筋肉と臓器の活性力を生む能率的全身運動具となる。
尚この際柱、壁、家具が加圧されるもののその力は彈性軸棒（１）に吸収されいささかも損傷を与えることはなく両手を振り全力で踏み豪快な前進運動を実施出来るのである。
【図面の簡単な説明】
【図１】本考案の斜視図である。
【図２】本考案の折りたたみの図である。
【図３】本考案の利用図である。
【符号の説明】
１，彈性軸棒    ２，据付片    ３，受身駒
４，パイプ      ５，ねぢ
【図１】
0003107653.tif 000003
【図２】
0003107653.tif 000004
【図３】
0003107653.tif 000005
(57)【要約】      （修正有）【課題】現在は、草刈作業において合板ベニヤもしくは家庭の窓等に取り付ける大型の網戸に何がしかの補強を施したものを持ち歩き、草刈作業の進行に合わせて一緒に移動していた。持ち歩くために、重量にも制限があり、あまり広い範囲をカバーできることも難しい。せいぜい２メートルが限界であり、労働の負担も小さくない。そのため、車道を通行中の自動車等の前面・側面ガラス窓、車体自体に小石等を草刈機で飛ばしてしまい、補償問題を引き起こしていた。【解決手段】以上の課題を解決するために、本考案は軽量の金属を用いたフレーム１，２の内部にネット３を張り、持ち運びができるように取っ手４，５を取り付けた小石飛散防止ネットを用いて小石の飛散を防止するものである。既述のネットを、車輪を懸架したフレームに搭載し、さらにもう一台と連結することによりネットのカバーする範囲を広げることも可能となり、より広範囲で飛散を防止することが期待される。【選択図】図１
0003107649.tif 000002
【実用新案登録請求の範囲】
【請求項１】
比較的軽量の金属体を用いて全周縁部を形成した金属枠体の中にネットを張り巡らし枠体の側面に持ち運び用の取っ手を設けた草刈時の小石等の飛散防止ネット。
【請求項２】
車輪を懸架したフレームに固定するための連結穴を枠体の下部に設けた請求項１記載の小石等の飛散防止ネット。
【請求項３】
車輪を懸架したフレームの前後に金属製の連結金具を設けた請求項２記載の小石等の飛散防止ネット。
【考案の詳細な説明】
【技術分野】
【０００１】  本考案は、小石飛散防止を目的とする装置に関するものである。
【背景技術】
【０００２】  現在は、草刈作業において合板ベニヤもしくは家庭の窓等に取り付ける大型の網戸に何がしかの補強を施したものを持ち歩き、草刈作業の進行に合わせて一緒に移動していた。
【考案の開示】
【考案が解決しようとする課題】
【０００３】  持ち歩くために、重量にも制限があり、あまり広い範囲をカバーできることも難しい。せいぜい２メートルが限界であり、労働の負担も小さくない。そのため、車道を通行中の自動車等の前面・側面ガラス窓、車体自体に小石等を草刈機で飛ばしてしまい、補償問題を引き起こしていた。
【課題を解決するための手段】
【０００４】  以上の課題を解決するために、本考案は軽量の金属を用いたフレームの内部にネットを張り、持ち運びができるように取っ手を取り付けた小石飛散防止ネットを用いて草刈作業の進行に伴って移動し、小石の飛散を防止する。既述のネットを、車輪を懸架したフレームに搭載し、飛散防止ネットのフレームに設けた固定用の連結穴と車輪を懸架したフレーム（以下、固定用フレームとする）に設けた固定用の連結穴とをピンで固定することによって自立させることも可能となる。固定用フレームの片方に設けたＬ字型のピンを、もう一台の固定用フレームに設けたリング状の受け具に差し込み、複数台を連結させることによりカバーできる範囲を広げることが可能となり、労力の軽減につながる。さらに自動車等に連結することにより移動を迅速に行うことも可能である。
【考案の効果】
【０００５】  防止ネットのカバーする範囲が拡大することにより、小石の飛散が抑えられる。また、労働力の削減にもつながる。
【考案を実施するための最良の形態】
【０００６】  以下、図面に示す実施例に従って、本考案の実施様態について説明する。１は比較的軽量の金属を用いた外フレームである。２は１のフレームの内側に補強のために同種の金属を用いて設けた縦フレームである。１，２のフレームに囲まれた内側には飛散してきた小石等がぶつかっても破けないような適当な素材でできたネット３を張り巡らし、縦フレーム２には持ち運び用にコの字型に保持用取っ手５を設ける。防止ネットを単体で使用する場合は、この取っ手５を持って作業の進行にあわせて移動し使用する。外フレーム１の下部に、車輪を懸架したフレームに固定できるように連結穴６を設ける。車輪を懸架したフレームの駆体１２にも連結穴６と同様の連結穴１１を設け、防止ネット本体を駆体１２に差し込み連結穴６と１１を重ねた状態にして適当なピンを差し込み固定する。この形態により防止ネットは自立可能となる。この形態で使用するときは、自立用軸足７を地面側に回転させ、移動するときは逆方向に回転させる。また、複数台を連結させて使用する場合は、駆体１２の前後に設けた連結器具のうち、連結用Ｌ字型ピン８を連結させる方の連結用リング９の下から差し込む。複数台を連結したときは外フレーム１に設けたＬ字型の移動用取っ手４を持って移動させる。複数台の連結により、防止ネットでカバーできる範囲を広げることで、作業の効率化につなげることが可能となる。また駆体１２に設けた連結器８，９を車両等に連結した場合、連結した車両毎移動することも可能である。
【図面の簡単な説明】
【０００８】
【図１】飛散防止ネット本体の側面図
【図２】固定用フレームの側面図
【符号の説明】
【００１２】  １  外フレーム
２  縦フレーム
３  防止ネット
４  移動用取っ手
５  保持用取っ手
６  （本体側）連結穴
７  自立用軸足
８  連結用Ｌ字型ピン
９  連結用リング
１０  車輪
１１  （固定用フレーム側）連結穴
１２  駆体
【図１】
0003107649.tif 000003
【図２】
0003107649.tif 000004
(57)【要約】【課題】    無煙の禁煙用パイプを吸いながら喫煙感を感じ同時にマイナスイオンを吸う事が出来る様にする。【解決の手段】    パイプ胴体部１にマイナスイオンを発生させる鉱石を練り込んだ樹脂を使い、詰め替え用カートリッジ５に煙草をスモークさせてニコチンを染み込ませた物を使用し、喫煙感を感じる様にした。【選択図】  図２
0003107641.tif 000002
【実用新案登録請求の範囲】
【請求項１】
パイプの胴体部に、マイナスイオンを発生させる素材を使用する様にした物。
【請求項２】
禁煙用パイプでありながら煙草の煙りの匂い及び喫煙感を感じる様にした物。
【考案の詳細な説明】
【技術分野】
【０００１】  本考案は、煙草の喫煙感を感じ、同時にマイナスイオン吸う事が出来るようにした、禁煙用のパイプに関するものである。
【背景技術】
【０００２】  従来、禁煙用の道具は数多くあるが、健康のため喫煙を考えてる愛煙家にとって、喫煙から、かけ離れた物が多く存在していた。
【考案の開示】
【考案が解決しょうとする課題】
【０００３】  喫煙を考えてる愛煙家にとって抵抗無く禁煙しやすく、尚かつ健康に良く、カートリッジ詰め替え式のため経済的で、持ち運びしやすくしようとするものである。
【課題を解決するための手段】
【０００４】  マイナスイオンを発生させる鉱石を練り込んだ樹脂で出来たパイプ本体に、乾燥させた煙草を燻製状にして、ニコチンを染み込ませたカートリッジを挿入し使用する事により、喫煙感を感じる様にした。尚、機密性のあるペン型収納ケースに入れて持ち運びやすくしている。
【考案の効果】
【０００５】  上述の様に、本考案のマイナスイオン禁煙用パイプは、喫煙感に近い感覚のため、愛煙家でも、抵抗無く煙草の代用品として使用出来る。
【考案の実施するための最良の形態】
【０００６】  パイプ本体の胴体部と吸引部をひねり二つに分解し、胴体部側にカートリッジを挿入し胴体部と吸引部をひねり接続し、吸引部から吸引して使用する、煙草感が薄れてきたら新たにカートリッジを交換する。付属のペン型ケースに収納中は機密性があるため煙草感が長持ちする。
【実施例】
【０００７】  以下、添付図面に従って説明する、パイプ胴体部１と吸引部２の間にカートリッジ５を入れ接続部甲３と接続部乙４を繋ぎ使用する。収納時は収納ケース６に入れ蝶番い部８を締めペン型フックを胸ポケット等にさして持ち運ぶ様にする。収納ケース６から出す際は蝶番い部８を開きパイプの取り出し用くぼみ７から取り出し使用する。
【図面の簡単な説明】
【０００８】
【図１】  パイプの分解図と上と横から見た吸引部の図
【図２】  カートリッジとカートリッジ挿入図
【図３】  ペン型ケースの開閉時とパイプ収納図
【符号の説明】
【０００９】１  パイプ胴体部
２  パイプ吸引部
３  接続部甲
４  接続部乙
５  カートリッジ
６  収納ケース
７  パイプ取り出し用くぼみ
８  ケース開閉時の蝶番い
９  ケースのペン型フック
【図１】
0003107641.tif 000003
【図２】
0003107641.tif 000004
【図３】
0003107641.tif 000005
【手続補正書】
【提出日】平成16年10月14日(2004.10.14)
【手続補正１】
【補正対象書類名】実用新案登録請求の範囲
【補正対象項目名】全文
【補正方法】変更
【補正の内容】
【実用新案登録請求の範囲】
【請求項１】
パイプの胴体部をマイナスイオンを発生させる鉱石を練り込んだ樹脂とした禁煙用パイプ。
【請求項２】
乾燥させた煙草の葉で燻製状にしたカ−トリッジを前記胴体部に挿入した請求項１記載の禁煙用パイプ。
(57)【要約】【課題】物品毎に添付する事が可能で、ＩＣタグが着脱不可能な状態で組込まれたケースであって且つ、可視情報が書き込まれた媒体を出し入れする事が可能であるＩＣタグ組込み型ケースを提供する。【解決手段】物品毎に添付する事が可能で、ＩＣタグが着脱不可能な状態で組込まれたケースであって且つ、可視情報が書き込まれた媒体を出し入れする事が可能であるＩＣタグ組込み型ケースを提供する事によって、可視情報が書き込まれた媒体をＩＣタグ組込み型ケースに入れる事によって、前記ＩＣタグと可視情報が書き込まれた媒体とを容易に組合せて運用する事が可能となる。【選択図】    図１
0003107665.tif 000002
【実用新案登録請求の範囲】
【請求項１】
四角片状の軟質体である素材（Ｃ）と、同じく四角片状であり前記ＩＣタグが着脱不可能な状態で組み込まれた軟質体である素材（Ｄ）とを重ねて、一辺（１）を除く周辺（２）（３）（４）を固着し、前記一辺（１）の開口から両軟質体である素材（Ｃ）、（Ｄ）間に可視情報が書き込まれた媒体を出し入れする事が可能であるケースであって本ケースに入れた媒体が本ケース内より脱落し難くなるように前記一辺（１）開口部にカバー（５）を設けたケース（Ａ）。
【考案の詳細な説明】
【考案の詳細な説明】
【技術分野】
【００１】本考案は、ＩＣタグが着脱不可能な状態で組み込まれた、汎用性の高い軟質体である素材によって構成されるケースに関するものである。
【背景技術】
【００２】物品を認識・区別・管理する為に様々な可視情報が書き込まれた紙素材又はプラスティック素材である媒体が利用されている。これら可視情報が書き込まれた媒体の出し入れをする事が可能であって、非接触状態にてＩＣタグとを容易に組合せて運用する事を可能とする着脱不可能な状態で前記ＩＣタグが組み込まれた前記媒体を収納するケースは存在しなかった。
【考案が解決しようとする課題】
【００３】物品を認識・区別・管理する為に可視情報が書き込まれた前記媒体とＩＣタグを組合せて利用する場合、物理的に別個であるが故に双方を容易に組合せて利用する事が困難であった。本考案はこの課題を解消する為になされたものである。
【課題を解決する為の手段】
【００４】上記課題を解決するために、請求項２記載のＩＣタグ組込み型ケースに係る考案は、四角片状の軟質体である素材（Ｃ）、同じく四角片状の軟質体であって前記ＩＣタグが着脱不可能な状態で組み込まれた素材（Ｄ）とを重ねて、一辺を除く周辺を固着し、前記一辺の開口から両軟質体間（Ｃ）（Ｄ）に物品を認識・区別・管理する為に必要な可視情報が書き込まれた前記媒体を入れるＩＣタグ組込み型ケースとしたものである。
【考案を実施するための最良の形態】
【００５】以下、本技術の形態について説明する。図１に請求項１記載の考案に関する実施形態を正面図として示し、このケース（Ａ）は軟質体である素材で構成され、ＩＣタグ（Ｂ）がケース（Ａ）に対して着脱不可能な状態で、一体化されているものである。また図２に請求項１記載の考案に関する実施形態を詳細図として示し、このケース（Ａ）は軟質素材（Ｄ）の裏面周縁に貼着層（Ｅ）を形成し、この貼着層（Ｅ）を介し、個別識別可能なＩＣタグ（Ｂ）が着脱不可能な状態で組み込まれた軟質素材（Ｃ）を固着したものであって、前記軟質素材（Ｃ）、軟質素材（Ｄ）間に可視情報が書き込まれた媒体を出し入れする事を可能としたものである。
【発明の効果】
【００６】以上説明したように本考案によれば、物品を認識・区別・管理する為に可視情報が書き込まれた媒体とＩＣタグを組合せて利用する場合において、ＩＣタグ組込み型ケース内に前記可視情報が書き込まれた媒体を容易に出し入れする事が可能となり、前記可視情報が書き込まれた媒体及び前記ＩＣタグ双方を容易に組合せて利用する事が可能となる。
【図面の簡単な説明】【図１】本考実施形態の正面図。
【図２】本考案実施形態の詳細図。
【図１】
0003107665.tif 000003
【図２】
0003107665.tif 000004
(57)【要約】  【課題】  割り箸袋を二つの基体に裁断し、一方の基体に折り筋を設け、折り曲げて形成した山形中空角筒状体を箸置きとするものは、裁断ミンン目と折り筋を設ける必要があり、中央部に凹部を設けて箸置き部とした別部材の箸挿入体を、他の板状基材の表面に付設したものは、各部材の作成と付着工程を要する。  【解決手段】  割り箸袋の中央部に長手方向へ切込みを切入し、割り箸を取り出した後、箸袋の閉じ合わせ側を所望長さだけ長手方向へ二つ折りして重ね合わせると共に、その重ね合わせ基部と切込み付近とを略Ｕ字状に屈曲し、重ね合わせ部の先端側を切込みへ挿通し、割り箸袋を箸置きに変形する割り箸袋を利用した箸置き。  【選択図】  図１
0003107669.tif 000002
【実用新案登録請求の範囲】
【請求項１】
割り箸袋の中央部に長手方向へ切込みを切入し、割り箸を取り出した後、箸袋の閉じ合わせ側を所望長さだけ長手方向へ二つ折りして重ね合わせると共に、その重ね合わせ基部と切込み付近とを略Ｕ字状に屈曲し、重ね合わせ部の先端側を切込みへ挿通し、割り箸袋を箸置きに変形することを特徴とする割り箸袋を利用した箸置き。
【考案の詳細な説明】
【技術分野】
【０００１】
本考案は割り箸袋を利用した箸置きに関する。
【背景技術】
【０００２】
１  割り箸用の箸袋を利用し箸置きとして用いる発明として、箸袋に二つの基体に裁断可能にするミシン目を設け、一方の基体には折り曲げ可能な３筋の折り曲げ部を設け、一方の基体を折り曲げ部に沿って折り曲げることにより山形中空角筒状体に形成し、該山形中空角筒状体を箸置きとして用いている箸袋がある。
【０００３】
例えば
【特許文献１】特開平７ー２２８５号公報２  表面に印刷面を有する板状の基材の表面に、透明材からなる箸挿入体を付設し、該箸挿入体の上部に中央に凹部を形成した箸置き部を設け、箸挿入体と基材を分離可能とし、箸挿入体の凹部に箸を置く箸置き兼用箸ケースがある。
【０００４】
例えば
【特許文献２】特開２００１ー２９９５４９号公報
【考案の開示】
【考案が解決しようとする課題】
【０００５】
前記１の発明は、箸袋を２分して一方の基体を折り筋に沿って折り曲げ、箸置き用の山形中空角筒状体に形成し、補強の必要に応じて他方の基体を山形中空角筒状体の中に挿入している構成であり、一方の基体を裁断し折り曲げる手間を要する。
【０００６】
前記２の発明は、板状の基材に、中央に凹部を形成して箸置き部を設けた別体の箸挿入体の取り付けを必要とする。
【課題を解決するための手段】
【０００７】
割り箸袋の中央部に長手方向へ切込みを切入し、割り箸を取り出した後、箸袋の閉じ合わせ側を所望長さだけ長手方向へ二つ折りして重ね合わせると共に、その重ね合わせ基部と切込み付近とを略Ｕ字状に屈曲し、重ね合わせ部の先端側を切込みへ挿通し、安定良く卓上に立てた割り箸袋の、重ね合わせ部基部側の平面上に、使用中の割り箸を置く構成であり、簡易に割り箸袋を箸置きに変形し、割り箸袋を有効活用することを目的とする。
【考案の効果】
【０００８】
割り箸袋の閉じ合わせ側を所望長さだけ長手方向へ二つ折りして重ね合わせ、割り箸袋中央部に設けた切込み付近と、重ね合わせ基部とを略Ｕ字状に屈曲し、重ね合わせ先端部を切込みへ挿通するという簡易な手数により、安定良く卓上に立てた割り箸袋の重ね合わせ部面上に使用中の割り箸を置くことができる箸置きを形成できる。
【考案を実施するための最良の形態】
【０００９】
図１は本考案の使用状態を示す斜視図、図２は割り箸袋の閉じ合わせ側を所望長さだけ重ね合わせた状態を示す平面図、図３は該重ね合わせ部の先端側を割り箸袋の箸挿通部開口側へ屈曲した状態を示す平面図である。
【００１０】
割り箸袋１の中央部に長手方向へ２〜３センチメ−トルの切込み２を切入する。
【００１１】
割り箸袋１の閉じ合わせ部１ａから所望長さだけ長手方向へ二つ折りして重ね合わせ、その重ね合わせ部３の基部３ａと、切込み２付近の割り箸袋中央部とを略Ｕ字状に屈曲し、重ね合わせ部３の先端側を切込み２に挿通する。
【００１２】
割り箸袋１から取り出した割り箸４を、重ね合わせ部３の基部３ａ上に載せる。
【００１３】
鍵形に屈曲され、箸置き５に変形した割り箸袋１は、卓上に安定良く置かれる。
【００１４】
使い捨ての割り箸袋１は、このように有効活用され、食事後に重ね合わせ部３を切込み２から外して伸ばし、割り箸４を割り箸袋１の箸挿通部開口から差し入れると、品良く食事を終えることができる。
【産業上の利用可能性】
【００１５】
グルメ嗜好の人々や、店舗等の経営者に直ちに利用される可能性が大きい。
【図面の簡単な説明】
【００１６】
【図１】本考案の使用状態を示す斜視図。
【図２】割り箸袋の閉じ合わせ側を所望長さだけ重ね合わせた状態を示す              平面図。
【図３】重ね合わせ部の先端側を割り箸袋の箸挿通部開口側へ屈曲した              状態を示す平面図。
【符号の説明】
【００１７】
１  割り箸袋    １ａ  割り箸袋の閉じ合わせ部    ２  切込み
３  重ね合わせ部    ３ａ  重ね合わせ部の基部    ４  割り箸
５    箸置き        
【図１】
0003107669.tif 000003
【図２】
0003107669.tif 000004
【図３】
0003107669.tif 000005
(57)【要約】【課題】指圧、マッサージをする時に長時間、こりの強い人の指圧マッサージは指への負担が多く、指が痛く大変である。指の力を軽減し、先端に付ける玉の材質によるマイナスイオン効果、磁気効果、遠赤効果により最大の効果をあげようとするものである。また指の大きさの大少に合うように広げる事ができるようにした。【解決手段】先端を玉にすることにより、重みをもたせ、滑らかにすべりやすくした。玉の大きさは、ツボにおさまる大きさとした。玉は、ガラス、トルマリン、磁気発生物、遠赤発生物とし血行促進もさせるようにした。また指の先端の太さにより調節がきくような材質を指をはめる部分に使う。【選択図】      図１
0003107629.tif 000002
【実用新案登録請求の範囲】
【請求項１】
指圧及びマッサージをする時に指の力を軽減し、先端に付ける玉の材質（ガラス、トルマリン、遠赤発生物、磁気発生物）のマイナスイオン効果、磁気による効果、遠赤による効果により最大の指圧、マッサージ効果を上げる指輪型指圧、マッサージ補助器具。
【考案の詳細な説明】
【考案の詳細な説明】
【技術分野】
【０００１】本発明は、指圧、及びマッサージをする時の指の力を軽減し、指が痛くなり、指圧及びマッサージ効果が落ちないために考案されたものである。マイナスイオン効果、磁気効果、遠赤効果により、血行促進効果も期待できる。
【背景技術】
【０００２】従来は、指に付けて指圧、マッサージする補助器具はなかった。
【考案が解決しようとする課題】
【０００３】指圧、マッサージをする時に長時間、こりの強い人の指圧マッサージは指への負担が多く、指が痛く大変である。指の力を軽減し、先端に付ける玉の材質によるマイナスイオン効果、磁気効果、遠赤効果により最大の効果をあげようとするものである。また指の大きさの大少に合うように広げる事ができるようにした。
【課題を解決するための手段】
【０００４】先端を玉にすることにより、重みをもたせ、滑らかにすべりすくした。玉の大きさは、ツボにおさまる大きさとした。玉は、ガラス、トルマリン、磁気発生物、遠赤発生物とし血行促進もさせるようにした。また指の先端の太さにより調節がきくような材質を指をはめる部分に使う。
【考案を実施するための最良の形態】
【０００５】以下、本考案の実施の形態について説明する。
（イ）台座の付いた指止めを作成する。
（ロ）玉と台座を接着剤にて接着する。
（ハ）指圧で力を入れる部分に装着し、使用する。
【考案の効果】
【０００６】指の痛さも軽減し、わずかな指の力で指圧、マッサージができるようになる。血行促進もされ、ツボの刺激により健康な体となる
【図面の簡単な説明】
【図１】考案した器具の斜視図である。
【図２】考案した器具の平面図である。
【符号の説明】
１    玉
２    玉の台座
３    指止め
【図１】
0003107629.tif 000003
【図２】
0003107629.tif 000004
(57)【要約】【課題】本考案はゴルフ用レインキャップ本体滑り止め内部の額部からこめかみ後部に、棒状のＡＢＳ樹脂を内蔵することにより雨天時のショットやパッティングの際、顔の真下に水滴が落ちてくるのを防ぐ為のゴルフ用レインキャップである。【解決手段】本考案はゴルフ用レインキャップ本体滑り止め内部に内蔵した棒状のＡＢＳ樹脂を利用し、この棒状のＡＢＳ樹脂がバネとしての機能を果たし、ツバ部を容易に上げ下げすること可能にしツバを上げた時、水滴の落ちる位置をゴルフにおけるショットやパッティングの邪魔にならないよう考慮したことを特徴とする。【選択図】  図３
0003107627.tif 000002
【実用新案登録請求の範囲】
【請求項１】
レイン用素材を使用したキャップ本体の滑り止めの中に、額部からこめかみ部にかけ棒状の形態をしたＡＢＳ樹脂を内蔵したところを特徴とするゴルフ用レインキャップ。
【考案の詳細な説明】
【技術分野】
【０００１】  本考案は、キャップ本体滑り止めの額部からこめかみ部にかけて、棒状のＡＢＳ樹脂を内臓し、降雨中のショットやパッティングの際、頭を下げた時にツバ部から水滴が顔の下に落ちてくるのを防ぐためのゴルフ用レインキャップに関するものである。
【背景技術】
【０００２】  一般のゴルファーが頭が濡れるのを防ぐのはもちろん、特に眼鏡を使用しているゴルファーにとって雨天時のレインキャップは欠かせない物である。しかし現状のゴルフ用レインキャップは防水素材を使用するものの、その形状及び仕様は一般的なキャップと何ら変わらない物である。
【考案の開示】
【考案が解決しようとする課題】
【０００３】  雨天のゴルフにおいて、ショットやパッティングをしようとする際、現状のキャップではツバ部から顔の真下に落ちてくる水滴が気になり甚だしく集中をさまたげる。かと言ってツバ部を後ろにかぶったりするのでは、眼鏡を使用しているプレイヤーにとって今度は眼鏡が濡れることになり意味をなさない。よってツバ部を容易に上げられ、しかも水滴が顔の真下に落ちてこないようにすることで前述の問題を解決したものである。
【課題を解決するための手段】
【０００４】  本考案は、防水素材を使用したキャップ本体の滑り止め内部に、額部からこめかみ後部にかけ棒状のＡＢＳ樹脂を内蔵し、この棒状のＡＢＳ樹脂がバネとしての機能を果たして、片手でも容易にツバ部を跳ね上げられ且つその状態を保て、又、簡単に元の状態に戻せるものである。
【考案の効果】
【０００５】  本考案を着用すると雨天のゴルフプレイの際、次のような効果がある。ショットやパッティングをする前に片手のワンタッチでツバ部を上げることにより、水滴が顔の真下やボールに落ちることなくプレーに集中出来る。又、現状のキャップの形状及びデザインをなんら損なうこと無く、着用することの抵抗感や違和感が全く無い。
【考案を実施するための最良の形態】
【０００６】  以下、本考案の実施例を図面に基づいて説明する。図１は現状のレインキャップの問題点を表わしたもの。図２は現状のレインキャップのツバ部を何らかの方法で上げた時の問題点を表わしたもの。図３は本考案の通常の場合の全体図。図４は本考案の後断面図で、滑り止めとＡＢＳ樹脂が内臓されている位置を示す図。図５は内臓されているＡＢＳ樹脂を前方斜めから見た図、図６は内臓されているＡＢＳ樹脂を上から見た図、図７は本考案を使用している時の図。
【実施例】
【０００７】  図１はこのツバ部から落ちる水滴が、特別なアドレスを取らない限り、ちょうどゴルフボールとそれに合わせたクラブの位置に落ちてくる。【０００８】  図２は、仮に現状のレインキャップのツバ部を上げるにしても、上げたツバ部が芯地の反発力ですぐに元に戻るか、もしくは硬い芯地の場合はツバ部を上げることも出来ない。又、仮にツバ部を上げた状態にしても、水が染みる素材のものであれば、この状態まま時間が経てば図中の符号１の箇所からも水滴が落ちてくる【０００９】  図３は、本考案の通常の場合を右前方から見た全体図で、バネとなる棒状のＡＢＳ樹脂は内臓されているので一般的なキャップ及び現状のレインキャップの形状となんら変わらず違和感は無いことを表す。【００１０】  図４は、本考案の通常の場合を左前方から見た全体図で、図３と同じ意味を表す。【００１１】  図５は、本考案を後断面図の状態で表した図で符号３はキャップ本体に付く滑り止め、符号４は内臓される棒状のＡＢＳ樹脂の位置関係を示した図である。【００１２】  図６は、本考案で滑り止めの中に入れる棒状のＡＢＳ樹脂の形状を、斜前方から見た図。【００１３】  図７は、本考案で滑り止めの中に入れる棒状のＡＢＳ樹脂の形状を、上方から見た図。【００１４】  図８は、本考案をパッティングあるいはショットの際使用している図で、符号２の様に水滴が顔の真下に落ちてこないことを表す。
【図面の簡単な説明】
【００１５】
【図１】現状の問題点を示した図
【図２】現状のキャップ及びレインキャップで解決出来ない点を示した図
【図３】本考案のレインキャップ本体を右前方から見た全体図
【図４】本考案のレインキャップ本体を左前方から見た全体図
【図５】本考案のレインキャップ本体の後から見た方面
【図６】本考案のレインキャップに入れる棒状のＡＢＳ樹脂を斜前方から見た図
【図７】本考案のレインキャップに入れる棒状のＡＢＳ樹脂を上方から見た図
【図８】本考案のレインキャップを雨天時に使用した場合の効果の理由を示した図
【符号の説明】
【００１６】１  水滴が溜まる箇所
２  水滴が落ちる巾
３  滑り止め
４  棒状のＡＢＳ樹脂
【図１】
0003107627.tif 000003
【図２】
0003107627.tif 000004
【図３】
0003107627.tif 000005
【図４】
0003107627.tif 000006
【図５】
0003107627.tif 000007
【図６】
0003107627.tif 000008
【図７】
0003107627.tif 000009
【図８】
0003107627.tif 000010